(57)【要約】【課題】動画像の再生に続いて静止画像を再生する際の視覚効果を変更すること。【解決手段】撮像装置１は、撮像光学系１１を介して被写体像を撮像する撮像手段１２と、静止画像の撮影を指示する撮影指示手段１６ａと、撮影指示手段１６ａによる撮影指示タイミングで撮像手段１２により撮像された撮像画像に基づいて静止画像を生成する静止画像生成手段１４ｂと、撮影指示タイミングを含む所定の撮影時間の間に撮像手段１２により撮像された複数の撮像画像に基づいて動画像を生成する動画像生成手段１４ａと、動画像の再生に続いて静止画像を再生する再生制御手段１４ｃと、再生時の視覚効果を変化させる複数の画像処理の中から少なくとも１つの画像処理を選択する画像処理選択手段１４ｇと、動画像の再生に続いて再生される静止画像に対して、画像処理選択手段１４ｇにより選択された画像処理を施す画像処理手段１４ｄと、を備える。【選択図】図１
2018110448.tif 000002
【特許請求の範囲】
【請求項１】
被写体像を撮像する撮像部と、
静止画像の撮影を指示する撮影指示部と、
前記撮影指示部による指示により撮像された被写体像に基づいて静止画像を生成する静止画像生成部と、
前記指示のタイミングを含む所定の撮影時間の間に撮像された複数の被写体像に基づいて動画像を生成する動画像生成部と、
前記動画像の再生に続いて前記静止画像を所定の再生時間継続して再生する再生制御部と、
複数の画像処理の中から少なくとも１つの画像処理を選択する画像処理選択部と、
前記動画像の再生に続いて再生される前記静止画像に対して、前記画像処理選択部により選択された画像処理を施す画像処理部と、を備え、
前記画像処理選択部は、前記所定の再生時間の間、前記複数の画像処理の中から選択する画像処理を時間に応じて変化可能である撮像装置。
【請求項２】
被写体像を撮像する撮像部と、
撮像指示に基づいて前記撮像部により撮像された被写体像に基づいて、動画像と静止画像を生成する生成部と、
複数の画像処理を選択する画像処理選択部と、
前記静止画像に対して、前記画像処理選択部により選択された画像処理を施す画像処理部と、
前記動画像の再生に続いて、所定の再生時間の間、前記静止画像を選択された前記複数の画像処理を時間に応じて変化させて再生する再生制御部と、
を備える撮像装置。
【請求項３】
請求項１または２に記載の撮像装置において、
前記複数の画像処理の中から１つの画像処理を選択するための選択画像を表示部に表示する表示制御部と、
前記選択画像内の位置を選択可能な位置選択部と、
をさらに備え、
前記画像処理選択部は、前記選択画像内において前記位置選択部により選択された位置に応じて、前記複数の画像処理の中から１つの画像処理を選択する撮像装置。
【請求項４】
請求項３に記載の撮像装置において、
前記画像処理選択部は、前記選択画像内において前記位置選択部により選択された位置に応じて、前記複数の画像処理の中から１つの画像処理と、その画像処理の複数の効果レベルの中から１つの効果レベルとを選択し、
前記画像処理部は、前記静止画像に対して、前記画像処理選択部により選択された画像処理を、前記画像処理選択部により選択された効果レベルで施す撮像装置。
【請求項５】
請求項３または４に記載の撮像装置において、
前記表示制御部は、再生時の視覚効果を変化させる第１の複数の画像処理の中から１つの画像処理を選択するための第１の選択画像と、再生時の視覚効果を変化させる第２の複数の画像処理の中から１つの画像処理を選択するための第２の選択画像とを表示部に表示し、
前記位置選択部は、前記第１の選択画像内の位置と前記第２の選択画像内の位置とをそれぞれ独立して選択可能であり、
前記画像処理選択部は、前記第１の選択画像内において前記位置選択部により選択された位置に応じて、前記第１の複数の画像処理の中から１つの画像処理を選択し、前記第２の選択画像内において前記位置選択部により選択された位置に応じて、前記第２の複数の画像処理の中から１つの画像処理を選択し、
前記画像処理部は、前記静止画像に対して、前記第１の複数の画像処理の中から選択された１つの画像処理と前記第２の複数の画像処理の中から選択された１つの画像処理との両方を施す撮像装置。
【請求項６】
請求項５に記載の撮像装置において、
前記第１の選択画像と前記第２の選択画像とは、同心円状である撮像装置。
【請求項７】
請求項１から３のいずれか一項に記載の撮像装置において、
前記複数の画像処理は、再生時の視覚効果が時間に応じて変化する画像処理である撮像装置。
【請求項８】
静止画像の撮影指示のタイミングを含む所定の撮影時間の間に撮像部により撮像された複数の被写体像に基づいて生成された動画像の再生に続いて、前記撮影指示のタイミングにおいて撮像部により撮像された被写体像に基づいて生成された静止画像を再生する再生工程と、
複数の画像処理の中から少なくとも１つの画像処理を選択する画像処理選択工程と、
前記動画像の再生に続いて再生される前記静止画像に対して、前記画像処理選択工程により選択された画像処理を施す画像処理工程と、を含み、
前記画像処理選択工程は、前記所定の再生時間の間、前記複数の画像処理の中から選択する画像処理を時間に応じて変化可能である画像処理方法。
【請求項９】
撮像指示に基づいて撮像部により撮像された被写体像に基づいて、動画像と静止画像を生成する生成工程と、
複数の画像処理を選択する画像処理選択工程と、
前記静止画像に対して、前記画像処理選択工程により選択された画像処理を施す画像処理工程と、
前記動画像の再生に続いて、所定の再生時間の間、前記静止画像を選択された前記複数の画像処理を時間に応じて変化させて再生する再生工程と、
を有する画像処理方法。
【請求項１０】
請求項８または９に記載の画像処理方法をコンピュータに実行させる画像処理プログラム。
【発明の詳細な説明】
【技術分野】
【０００１】
本発明は、撮像装置、画像処理方法および画像処理プログラムに関する。
【背景技術】
【０００２】
静止画像と共に静止画像に関連するスローモーション動画像を撮影することで、スローモーション動画像の再生に続いて静止画像を再生するといった印象的な映像表現を可能としたデジタルカメラが知られている（特許文献１参照）。
【先行技術文献】
【特許文献】
【０００３】
【特許文献１】特許第４９８３９６１号公報
【発明の概要】
【発明が解決しようとする課題】
【０００４】
上記従来技術のようにスローモーション動画像の再生に続いて静止画像を再生する際に、ユーザによる自由な映像表現を可能とすることが望まれている。
【課題を解決するための手段】
【０００５】
本発明の第１の態様によると、撮像装置は、被写体像を撮像する撮像部と、静止画像の撮影を指示する撮影指示部と、前記撮影指示部による指示により撮像された被写体像に基づいて静止画像を生成する静止画像生成部と、前記指示のタイミングを含む所定の撮影時間の間に撮像された複数の被写体像に基づいて動画像を生成する動画像生成部と、前記動画像の再生に続いて前記静止画像を所定の再生時間継続して再生する再生制御部と、複数の画像処理の中から少なくとも１つの画像処理を選択する画像処理選択部と、前記動画像の再生に続いて再生される前記静止画像に対して、前記画像処理選択部により選択された画像処理を施す画像処理部と、を備え、前記画像処理選択部は、前記所定の再生時間の間、前記複数の画像処理の中から選択する画像処理を時間に応じて変化可能である。
本発明の第２の態様によると、撮像装置は、被写体像を撮像する撮像部と、撮像指示に基づいて前記撮像部により撮像された被写体像に基づいて、動画像と静止画像を生成する生成部と、複数の画像処理を選択する画像処理選択部と、前記静止画像に対して、前記画像処理選択部により選択された画像処理を施す画像処理部と、前記動画像の再生に続いて、所定の再生時間の間、前記静止画像を選択された前記複数の画像処理を時間に応じて変化させて再生する再生制御部と、を備える。
本発明の第３の態様によると、画像処理方法は、静止画像の撮影指示のタイミングを含む所定の撮影時間の間に撮像部により撮像された複数の被写体像に基づいて生成された動画像の再生に続いて、前記撮影指示のタイミングにおいて撮像部により撮像された被写体像に基づいて生成された静止画像を再生する再生工程と、複数の画像処理の中から少なくとも１つの画像処理を選択する画像処理選択工程と、前記動画像の再生に続いて再生される前記静止画像に対して、前記画像処理選択工程により選択された画像処理を施す画像処理工程と、を含み、前記画像処理選択工程は、前記所定の再生時間の間、前記複数の画像処理の中から選択する画像処理を時間に応じて変化可能である。
本発明の第４の態様によると、画像処理方法は、撮像指示に基づいて撮像部により撮像された被写体像に基づいて、動画像と静止画像を生成する生成工程と、複数の画像処理を選択する画像処理選択工程と、前記静止画像に対して、前記画像処理選択工程により選択された画像処理を施す画像処理工程と、前記動画像の再生に続いて、所定の再生時間の間、前記静止画像を選択された前記複数の画像処理を時間に応じて変化させて再生する再生工程と、を有する。
本発明の第５の態様によると、画像処理プログラムは、第３の態様または第４の態様による画像処理方法をコンピュータに実行させる。
【発明の効果】
【０００６】
本発明によれば、動画像の再生に続いて静止画像を再生する際の視覚効果を変更することができる。
【図面の簡単な説明】
【０００７】
【図１】本発明の一実施の形態によるデジタルカメラの構成例を説明するブロック図である。
【図２】第１の実施形態におけるスロー動画撮影モードを説明する図である。
【図３】第１の実施形態におけるリング画像を説明する図である。
【図４】第１の実施形態におけるエフェクトを説明する図である。
【図５】第１の実施形態において制御部が実行する処理の流れを説明するフローチャートである。
【図６】第２の実施形態におけるスロー動画撮影モードで撮影された画像の再生処理を説明する図である。
【図７】第２の実施形態におけるリング画像を説明する図である。
【図８】第２の実施形態におけるエフェクトを説明する図である。
【図９】第２の実施形態における制御部が実行する処理の流れを説明するフローチャートである。
【図１０】プログラムの提供の様子を説明する図である。
【発明を実施するための形態】
【０００８】
−第１の実施形態−
図面を参照して本発明の第１の実施形態について説明する。図１は、本実施形態に係るデジタルカメラ１の構成を示すブロック図である。デジタルカメラ１は、撮像光学系１１と、撮像素子１２と、レンズ駆動回路１３と、制御部１４と、バッファメモリ１５と、操作部材１６と、表示部１７とを備えている。デジタルカメラ１には、例えばメモリカードなどの記録媒体１８が着脱可能である。
【０００９】
撮像光学系１１は、ズームレンズやフォーカシングレンズを含む複数のレンズ群で構成され、被写体像を撮像素子１２の受光面に結像させる。なお、図１を簡単にするため、撮像光学系１１を単レンズとして図示している。
【００１０】
レンズ駆動回路１３は、制御部１４の制御のもと、撮像光学系１１のズームレンズを駆動して焦点距離を調節するとともに、撮像光学系１１のフォーカシングレンズを駆動して焦点調節を行う。
【００１１】
撮像素子１２は、例えばＣＭＯＳ撮像素子などのイメージセンサであり、撮像光学系１１により結像した被写体像を撮像して、得られた画像信号を制御部１４へ出力する。バッファメモリ１５は、撮像素子１２からの画像信号を基に取得される画像データを一時記憶するために使用される。
【００１２】
制御部１４は、ＣＰＵ、メモリ、およびその周辺回路から構成され、デジタルカメラ１全体の動作を制御する。また制御部１４は、動画像生成部１４ａと、静止画像生成部１４ｂと、再生制御部１４ｃと、画像処理部１４ｄと、表示制御部１４ｅと、位置選択部１４ｆと、画像処理選択部１４ｇとを有する。制御部１４は、メモリに格納された制御プログラムを実行することにより、これらの各部の機能を実現している。各部の機能の内容については、後で詳しく説明する。
【００１３】
操作部材１６は、シャッターボタン１６ａと、表示部１７上に配置されたタッチパネル１６ｂと、を含む。タッチパネル１６ｂは、タッチペンや指などの接触物が接触した接触位置を検出して、制御部１４に接触位置を出力する。また、操作部材１６は、この他、録画ボタン、モード切替ボタン、十字キー、ＯＫボタン、ディスプレイボタンなどを含む。操作部材１６は、ユーザ操作に応じた操作信号を制御部１４へ出力する。
【００１４】
表示部１７は、デジタルカメラ１の背面に搭載された液晶モニタ（背面モニタ）等で構成され、撮像素子１２で撮像された撮像画像や各種設定メニューなどが表示される。
【００１５】
操作部材１６からの操作信号に応じて撮影モードに設定されると、制御部１４は、撮像素子１２に所定のフレームレートでスルー画用の撮像処理を行わせ、撮像素子１２から時系列で得られる各フレーム画像から表示用のフレーム画像を生成して表示部１７に出力する。これによって表示部１７には、スルー画がリアルタイムで表示される。
【００１６】
撮影モードにおいてシャッターボタン１６ａが全押し操作されて静止画像の撮影が指示されると、制御部１４は、撮像素子１２により撮像された画像信号に対して所定の画像処理を行って静止画像データを生成し、ＪＰＥＧなどの所定の方式により圧縮処理を行って、記録媒体１８に記録する。
【００１７】
また、操作部材１６からの操作信号に応じて再生モードに設定されると、制御部１４は、記録媒体１８に記録された静止画像データを読み出して再生し、表示部１７に表示する。
【００１８】
＜スロー動画撮影モード＞
また、本実施形態のデジタルカメラ１は、通常の撮影モードの他、静止画像と共に静止画像に関連するスローモーション動画像（以下、スロー動画像と表記する）を撮影するスロー動画像撮影モードを有する。なお、スロー動画像とは、撮像フレームレートよりも低い再生フレームレートで再生される動画像である。
【００１９】
図２は、スロー動画撮影モードにおける画像の撮影・記録処理と画像の再生処理を説明する図である。まず、画像の撮影・記録処理について説明する。制御部１４は、シャッターボタン１６ａが半押し操作されると、撮像光学系１１の焦点を自動で調節するＡＦ（Auto Focus）処理を行った後、プリキャプチャー処理を開始する。プリキャプチャー処理は、撮像素子１２に所定の撮像フレームレートで被写体像を繰り返し撮像する撮像処理を行わせ、撮像処理により取得した複数のフレーム画像データを、バッファメモリ１５に順次記憶する処理である。撮像フレームレートは、一例として、６０ｆｐｓとする。
【００２０】
制御部１４は、シャッターボタン１６ａが全押し操作されると、全押し操作された時点から０．６４秒後にプリキャプチャー処理を終了する。そして制御部１４は、シャッターボタン１６ａの全押し操作時点の０．９６秒前から０．６４秒後までの間（１．６秒間）で撮像された複数のフレーム画像データ（９６コマ）をバッファメモリ１５から読み出す。なお、制御部１４は、全押し操作された時点から０．６４秒後にプリキャプチャー処理を終了させたが、これに限定されない。たとえば、全押し操作された時点でプリキャプチャーを終了させてもよい。その場合、制御部は、シャッター釦１６の全押し操作時点の１．６秒前から撮像された複数のフレーム画像データ（９６コマ）をバッファメモリ１５から読み出せばよい。制御部１４の動画像生成部１４ａは、読み出した複数のフレーム画像データに対して所定の動画像用の画像処理を行い、撮像フレームレートよりも低いスロー動画像用フレームレートで再生されるスロー動画像データを生成する。スロー動画像用フレームレートは、一例として、２４ｆｐｓとする。この場合、スロー動画像データの再生時間は４秒間である。
【００２１】
また、制御部１４は、シャッターボタン１６ａの全押し操作時点で撮像されたフレーム画像データをバッファメモリ１５から読み出す。制御部１４の静止画像生成部１４ｂは、読み出したフレーム画像データに対して所定の静止画像用の画像処理を行って静止画像データを生成する。
【００２２】
制御部１４は、上記生成したスロー動画像データと静止画像データとを互いに関連付けて記録媒体１８に記録する。なお、スロー動画像データは、ＭＯＶ形式の動画像ファイルとして記録される。静止画像データは、ＪＰＥＧ形式の静止画像ファイルとして記録される。
【００２３】
次に、スロー動画撮影モードで撮影された画像の再生処理について説明する。制御部１４の再生制御部１４ｃは、操作部材１６を介してスロー動画撮影モードで撮影された画像の再生が指示されると、記録媒体１８に記録されたスロー動画像データに基づく４秒間のスロー動画像（２４ｆｐｓ、９６コマ）を再生して、表示部１７に表示する。ここでスロー動画像は、再生開始時には表示画面の全面が黒い状態から０．５秒間かけてフェードインされ、再生終了時には０．５秒間かけて表示画面の全面が黒い状態または白い状態へとフェードアウトされる。また、制御部１４は、スロー動画像の再生開始と同時に、予めユーザにより操作部材１６を介して指定されたＢＧＭ（Back Ground Music）の再生を開始して、不図示のスピーカから出力させる。
【００２４】
再生制御部１４ｃは、スロー動画像の再生が終了すると、スロー動画像データに関連付けて記録媒体１８に記録されている静止画像データを読み出し、スロー動画像の再生に続いて当該静止画像データに基づく静止画像を再生して表示部１７に表示する。このとき静止画像は、再生開始時に、表示画面の全面が黒い状態または白い状態から１．５秒間かけてフェードインされる。また制御部１４の画像処理部１４ｄは、静止画像に対して、複数種類のエフェクト（詳しくは後述する）の中からユーザにより選択されたエフェクト（詳しくは後述する）を施す。このエフェクトは、視覚効果を時間に応じて変化させる６秒分のエフェクトである。再生制御部１４ｃは、画像処理部１４ｄにより６秒分のエフェクトが施されている状態で静止画像を６秒間再生する。また、制御部１４は、上記ＢＧＭの再生を静止画像の再生後も継続し、６秒分のエフェクトの終了と同時に（すなわち静止画像の再生開始から６秒後に）上記ＢＧＭの再生を終了する。制御部１４は、操作部材１６を介してエフェクト付き画像の記録が指示されると、スロー動画像を４秒間再生した後に続いて上記エフェクトを施した静止画像を６秒間再生する動画像データ（合計１０秒の動画像データ）を生成し、ＭＯＶ形式の動画像ファイルとして記録媒体１８に記録する。
【００２５】
＜エフェクトの選択＞
本実施形態では、静止画像に施すエフェクトの選択肢として、４つのテーマ（「きらめき」、「ゆらめき」、「やすらぎ」、「愛らしさ」）に対応した４種類のエフェクトが設けられている。４種類のエフェクトは、いずれも視覚効果を時間に応じて変化させるエフェクトである。具体的に、テーマ「きらめき」に対応する第１エフェクトは、表示画面の全面が白い状態から静止画像をフェードインさせた後、静止画像に対してソフトフォーカスを施し、その後、元の静止画像に戻した後、静止画像の輝度およびコントラストを上げるエフェクトである。テーマ「ゆらめき」に対応する第２エフェクトは、静止画像に対して５％程度の拡大ズームを数秒かけて行うエフェクト（Ken Burns エフェクト）である。テーマ「やすらぎ」に対応する第３エフェクトは、元の静止画像から彩度を上げ且つソフトフォーカスを施した静止画像へと徐々に遷移させるエフェクトである。テーマ「愛らしさ」に対応する第４エフェクトは、元の静止画像から周囲を白くぼかした静止画像へと徐々に遷移させるエフェクトである。
【００２６】
スロー動画像の再生が終了して静止画像の再生が開始されると、制御部１４の表示制御部１４ｅは、図３に示すように、第１エフェクト〜第４エフェクトの中から静止画像に施すエフェクトを選択するためのリング形状の画像（以下、リング画像と表記する）５０を、静止画像に重ねて表示部１７に表示する。リング画像５０は、リング５１とカーソル５２とから構成される。カーソル５２は、リング５１上において、制御部１４の位置選択部１４ｆにより現在選択されている位置を示す。位置選択部１４ｆは、タッチパネル１６ｂ上でのカーソル５２に対するドラッグ操作（カーソル５２の表示位置を指でタッチした後、タッチしたまま指を移動する操作）に応じて、選択位置（カーソル５２の表示位置）をリング５１に沿って移動させる。
【００２７】
リング画像５０のリング５１上には、リング５１の頂上地点（第１位置）Ｐ１、第１位置Ｐ１から時計周りに９０度離れた第２位置Ｐ２、第２位置Ｐ２から時計周りに９０度離れた第３位置Ｐ３、および第３位置Ｐ３から時計周りに９０度離れた第４位置Ｐ４が設けられている。また、リング５１は、第１リング部分５１ａ〜第４リング部分５１ｄから構成されている。第１リング部分５１ａ〜第４リング部分５１ｄは、それぞれ中心角が９０度の円弧形状（１／４円形状）でなる。第１リング部分５１ａは、リング５１の第１位置Ｐ１から第２位置Ｐ２までの部分である。第２リング部分５１ｂは、リング５１の第２位置Ｐ２から第３位置Ｐ３までの部分である。第３リング部分５１ｃは、リング５１の第３位置Ｐ３から第４位置Ｐ４までの部分である。第４リング部分５１ｄは、リング５１の第４位置Ｐ４から第１位置Ｐ１までの部分である。
【００２８】
制御部１４の画像処理選択部１４ｇは、カーソル５２の表示位置に応じて、第１エフェクト〜第４エフェクトの中から静止画像に施すエフェクトを選択する。具体的に画像処理選択部１４ｇは、カーソル５２が第１リング部分５１ａ上にある場合は、第１エフェクトを静止画像に施すエフェクトとして選択する。画像処理選択部１４ｇは、カーソル５２が第２リング部分５１ｂ上にある場合は、第２エフェクトを静止画像に施すエフェクトとして選択する。画像処理選択部１４ｇは、カーソル５２が第３リング部分５１ｃ上にある場合は、第３エフェクトを静止画像に施すエフェクトとして選択する。画像処理選択部１４ｇは、カーソル５２が第４リング部分５１ｄ上にある場合は、第４エフェクトを静止画像に施すエフェクトとして選択する。なお、画像処理選択部１４ｇは、第１位置Ｐ１上にカーソル５２がある場合には、第１エフェクト〜第４エフェクトのいずれも選択しない。
【００２９】
したがって、カーソル５２が第１位置Ｐ１からリング画像５１に沿って時計周りに移動される場合には、図４に示すように、第１エフェクト「きらめき」、第２エフェクト「ゆらめき」、第３エフェクト「やすらぎ」、第４エフェクト「愛らしさ」の順で、静止画像に施すエフェクトが変更される。一方、カーソル５２が反時計回りに移動される場合には、上述した時計周りに移動される場合と逆の順で、静止画像に施すエフェクトが変更される。
【００３０】
このように、ユーザは、タッチパネル１６ｂを介してリング画像５０のカーソル５２を移動させることで、第１エフェクト〜第４エフェクトの中から所望のエフェクトを静止画像に施すエフェクトとして選択することができる。
【００３１】
＜フローチャート＞
次に、スロー動画撮影モードにより撮影された画像を再生する際に、制御部１４が実行する処理の流れを、図５に示すフローチャートを用いて説明する。スロー動画撮影モードにより撮影された画像の再生が指示されると、制御部１４は、不図示のメモリに記録された図５の処理を行うプログラムを起動して、当該処理を開始する。
【００３２】
ステップＳ１において、再生制御部１４ｃは、記録媒体１８に記録されているスロー動画像を再生する。再生制御部１４ｃは、スロー動画像を最後まで再生すると、ステップＳ２へ進む。
【００３３】
ステップＳ２において、再生制御部１４ｃは、ステップＳ１で再生したスロー動画像に関連付けて記録されている静止画像を再生する処理を開始して、ステップＳ３へ進む。ここでは、まだユーザにより静止画像に施すエフェクトが選択されていないので、再生制御部１４ｃは、エフェクトが施されていない状態の静止画像を再生する。
【００３４】
ステップＳ３において、表示制御部１４ｅは、再生中の静止画像に重ねてリング画像５０を表示する処理を開始して、ステップＳ４へ進む。なお、表示制御部１４ｅは、リング画像５０の表示開始時点では、エフェクトが選択されていない状態なので、カーソル５２が第１位置Ｐ１にある状態でリング画像５０を表示する。ここでユーザは、エフェクトが施されていない状態で再生されている静止画像を確認しながら、リング画像５０のカーソル５２をドラッグ操作により移動させて、第１エフェクト〜第４エフェクトの中から静止画像に施すエフェクトを選択することができる。
【００３５】
ステップＳ４において、制御部１４は、リング画像５０のカーソル５２が移動されて、不図示のＯＫボタンが操作されたか否かを判定する。制御部１４は、ＯＫボタンが操作された場合にはステップＳ５へ進み、ＯＫボタンが操作されていない場合にはステップＳ４の処理を繰り返す。
【００３６】
ステップＳ５において、画像処理選択部１４ｇは、上述したように、リング画像５０におけるカーソル５２の表示位置（すなわち位置選択部１４ｆによる選択位置）に応じてエフェクトを選択して、ステップＳ６へ進む。なお、制御部１４は、カーソル５２が第１位置Ｐ１にある場合には、エフェクトを選択せずに図５の処理を終了する。
【００３７】
ステップＳ６において、画像処理部１４ｄは、ステップＳ５において画像処理選択部１４ｇにより選択されたエフェクトを静止画像に施して、ステップＳ７へ進む。
【００３８】
ステップＳ７において、再生制御部１４ｃは、ステップＳ６において画像処理部１４ｄによりエフェクトが施された静止画像の再生を開始して、ステップＳ８へ進む。これにより、ユーザは、自分が選択したエフェクトが施された静止画像を確認することができる。なお、再生制御部１４ｃは、エフェクトが施された静止画像の６秒間の再生が終了すると、終了した時点での静止画像を継続して再生する。またこのとき、リング画像５０の表示は継続して行われる。ユーザは、リング画像５０のカーソル５２をドラッグ操作によって移動させることで、静止画像に施すエフェクトを変更することができる。
【００３９】
ステップＳ８において、制御部１４は、リング画像５０のカーソル５２が移動されて、不図示のＯＫボタンが操作されたか否かを判定する。制御部１４は、ＯＫボタンが操作された場合にはステップＳ５に戻り、カーソル５２の新たな表示位置に応じて静止画像に施すエフェクトを選択する。一方、制御部１４は、ＯＫボタンが操作されていない場合にはステップＳ９へ進む。
【００４０】
ステップＳ９において、制御部１４は、操作部材１６を介してエフェクト付き画像の記録が指示されたか否かを判定する。制御部１４は、記録が指示されていない場合にはステップＳ８に戻り、記録が指示された場合にはステップＳ１０へ進む。
【００４１】
ステップＳ１０において、制御部１４は、スロー動画像を４秒間再生した後に続いて、ステップＳ７と同様に上記選択されたエフェクトを施した静止画像を６秒間継続して再生する動画像データを生成して記録媒体１８に記録し、図５の処理を終了する。
【００４２】
以上説明した実施の形態によれば、次の作用効果が得られる。
（１）デジタルカメラ１において、静止画像生成部１４ｂは、シャッターボタン１６ａによる撮影指示タイミングで撮像素子１２により撮像された撮像画像に基づいて静止画像を生成する。動画像生成部１４ａは、上記撮影指示タイミングを含む所定の撮影時間（１．６秒）の間に撮像素子１２により撮像された複数の撮像画像に基づいてスロー動画像を生成する。再生制御部１４ｃは、上記スロー動画像の再生に続いて上記静止画像を所定の再生時間（６秒）再生する。画像処理選択部１４ｇは、ユーザ操作に応じて、再生時の視覚効果を変化させる複数の画像処理（第１エフェクト〜第４エフェクト）の中から１つの画像処理（エフェクト）を選択する。画像処理部１４ｄは、上記スロー動画像の再生に続いて再生される静止画像に対して、画像処理選択部１４ｇにより選択されたエフェクトを施す。このようにすることで、デジタルカメラ１は、スロー動画像の再生に続いて静止画像を再生する際の視覚効果を変更することができ、ユーザによる自由な映像表現を実現することができる。
【００４３】
（２）デジタルカメラ１において、第１エフェクト〜第４エフェクトは、再生時の視覚効果が時間に応じて変化するエフェクトであるようにした。これにより、スロー動画像の再生に続いて再生される静止画像において視覚効果が時間に応じて変化するので、あたかも動画像であるような映像表現を行うことができる。
【００４４】
−第２の実施形態−
次に、図面を参照して本発明の第２の実施形態について説明する。第２の実施形態では、スロー動画撮影モードで撮影された静止画像に施すエフェクトが第１の実施形態と異なるため、この点について以下説明する。なお、第２の実施形態のデジタルカメラ１は、第１の実施形態のデジタルカメラ１（図１）と同一の構成であるため、同一の符号を付して説明を省略する。また、第２の実施形態において、スロー動画撮影モードにおける画像の撮影・記録処理については、第１の実施形態と同様であるため説明を省略する。
【００４５】
＜再生処理＞
図６は、第２の実施形態において、スロー動画撮影モードで撮影された画像の再生処理を説明する図である。再生制御部１４ｃは、操作部材１６を介してスロー動画撮影モードで撮影された画像の再生が指示されると、第１の実施形態と同様にして４秒間のスロー動画像を再生して、表示部１７に表示する。また、制御部１４は、第１の実施形態と同様に、予め指定されたＢＧＭを再生して、不図示のスピーカから出力させる。
【００４６】
再生制御部１４ｃは、スロー動画像の再生が終了すると、その後連続して静止画像を再生して表示部１７に表示する。このとき再生制御部１４ｃは、６秒間の間、ユーザにより選択された２種類のエフェクトを両方静止画像に施して再生する。ユーザは、後述するリング画像６０に対する操作を行うことで、静止画像に施す１つ目のエフェクトと２つ目のエフェクトとをそれぞれ選択することができる。
【００４７】
なお、第２の実施形態において選択可能なエフェクトは、第１の実施形態のように視覚効果を時間に応じて変化させるエフェクトとは異なり、視覚効果が固定されたエフェクトである（詳しくは後述する）。第２の実施形態では、ユーザは、静止画像の再生開始から６秒間の間、１つ目のエフェクトおよび２つ目のエフェクトとして選択するエフェクトを自由に変更できるようになっている。また第２の実施形態では、ユーザは、エフェクトの効果レベルも自由に変更できるようになっている。
【００４８】
制御部１４は、静止画像の再生開始から６秒間の間、ユーザの操作に応じてエフェクトが変更された時間とそのエフェクトの種類および効果レベルとを対応付け、エフェクトの履歴情報として不図示のメモリに記録しておく。制御部１４は、静止画像の再生開始から６秒が経過すると、リング画像６０の表示を終了し、エフェクトの履歴情報の記録を終了する。そして、制御部１４は、エフェクトの履歴情報に基づいて、静止画像の再生開始から６秒間の間にユーザの操作によって変更された通りのエフェクトを再び静止画像に施して表示する。これにより、ユーザは、静止画像の６秒間の再生の間、自分がどのようなエフェクトを選択したかを改めて確認することができる。
【００４９】
そして制御部１４は、操作部材１６を介して画像の記録が指示されると、スロー動画像を４秒間再生した後に続いて、上記履歴情報に基づく６秒分のエフェクトを静止画像に施して表示する動画像データ（合計１０秒の動画像データ）を生成し、ＭＯＶ形式の動画像ファイルとして記録媒体１８に記録する。このように、ユーザは、静止画像が６秒間再生される間に静止画像に施すエフェクトを時間に応じて自由に変更することができ、さらに変更した通りのエフェクトを静止画像に施して表示する動画像を記録することができる。
【００５０】
＜エフェクトの選択＞
第２の実施形態において、表示制御部１４ｅは、図７に示すようなリング画像６０を表示部１７に表示する。リング画像６０は、静止画像に施す１つ目のエフェクトを選択するための外側リング６１と、静止画像に施す２つ目のエフェクトを選択するための内側リング６２とから構成される。外側リング６１と内側リング６２とは、同心円状であり、２重リング形状を形成している。
【００５１】
外側リング６１上には外用カーソル６３が表示され、内側リング６２上には内用カーソル６４が表示される。外用カーソル６３は、外側リング６１上において、位置選択部１４ｆにより現在選択されている位置を示す。内用カーソル６４は、内側リング６２上において、位置選択部１４ｆにより現在選択されている位置を示す。位置選択部１４ｆは、タッチパネル１６ｂ上での外用カーソル６３に対するドラッグ操作に応じて、外用カーソル６３の表示位置を外側リング６１に沿って移動させる。また位置選択部１４ｆは、タッチパネル１６ｂ上での内用カーソル６４に対するドラッグ操作に応じて、内用カーソル６４の表示位置を内側リング６２に沿って移動させる。
【００５２】
リング画像６０の外側リング６１上には、外側リング６１の頂上地点（第１位置）Ｐ１１、第１位置Ｐ１から時計周りに９０度離れた第２位置Ｐ１２、第２位置Ｐ１２から時計周りに９０度離れた第３位置Ｐ１３、および第３位置Ｐ１３から時計周りに９０度離れた第４位置Ｐ１４が設けられている。またリング画像６０の外側リング６１は、第１外側リング部分６１ａ〜第４外側リング部分６１ｄから構成されている。第１外側リング部分６１ａ〜第４外側リング部分６１ｄは、それぞれ中心角が９０度の円弧形状（１／４円形状）でなる。第１外側リング部分６１ａは、外側リング６１の第１位置Ｐ１１から第２位置Ｐ１２までの部分である。第２外側リング部分６１ｂは、外側リング６１の第２位置Ｐ１２から第３位置Ｐ１３までの部分である。第３外側リング部分６１ｃは、外側リング６１の第３位置Ｐ１３から第４位置Ｐ１４までの部分である。第４外側リング部分６１ｄは、外側リング６１の第４位置Ｐ１４から第１位置Ｐ１１までの部分である。
【００５３】
画像処理選択部１４ｇは、外側リング６１における外用カーソル６３の位置に応じて、静止画像に施す１つ目のエフェクトを選択する。具体的に画像処理選択部１４ｇは、外用カーソル６３が第１外側リング部分６１ａ上にある場合には第１エフェクトを選択し、第２外側リング部分６１ｂ上にある場合には第２エフェクトを選択する。また画像処理選択部１４ｇは、外用カーソル６３が第３外側リング部分６１ｃ上にある場合には第３エフェクトを選択し、第４外側リング部分６１ｄ上にある場合には第４エフェクトを選択する。第１エフェクト〜第４エフェクトは、視覚効果が固定されたエフェクトである。たとえば、第１エフェクトは明るさ補正、第２エフェクトは明度補正、第３エフェクトは彩度補正、第４エフェクトはコントラスト補正である。したがって、外用カーソル６３が第１位置Ｐ１１から外側リング６１に沿って時計周りに移動される場合には、図８に示すように、第１エフェクト「明るさ補正」、第２エフェクト「明度補正」、第３エフェクト「彩度補正」、第４エフェクト「コントラスト補正」の順で、静止画像に施す１つ目のエフェクトが変更される。一方、外用カーソル６３が反時計回りに移動される場合には、上述した時計周りに移動される場合と逆の順で、静止画像に施す１つ目のエフェクトが変更される。なお、第１エフェクト〜第４エフェクトは、上述したエフェクトに限らず、予めユーザが操作部材１６を介して所望のエフェクトを第１エフェクト〜第４エフェクトとして設定できるようになっている。
【００５４】
また、画像処理選択部１４ｇは、外用カーソル６３の位置に応じて、各エフェクトの効果レベルを選択する。第１外側リング部分６１ａにおいて、第１エフェクト（明るさ補正）の効果レベルは、「−５」、「−４」、「−３」、「−２」、「−１」、「０」、「＋１」、「＋２」、「＋３」、「＋４」、「＋５」の１１段階から選択可能となっている。たとえば、効果レベル「−５」においては静止画像が最も暗く補正され、効果レベル「＋５」においては静止画像が最も明るく補正される。効果レベル「０」においては、第１エフェクトの効果が０、すなわち元の明るさとなる。第１外側リング部分６１ａでは、第１位置Ｐ１１〜第２位置Ｐ１２の間で、上記１１段階（たとえば、第１位置Ｐ１１側から時計周り順に「−５」〜「＋５」）に対応する位置が等間隔に設定されている。したがって、第１位置Ｐ１１と第２位置Ｐ１２の間の中央位置Ｏ１２（第１位置Ｐ１１から時計周りに４５度の位置）には、効果レベル「０」が対応付けられている。すなわち、カーソル５２が中央位置Ｏ１２に来たときは、第１エフェクトの効果レベル「０」が選択されるため、静止画像に対して第１エフェクト〜第４エフェクトのいずれも施されない。
【００５５】
第２外側リング部分６１ｂ〜第４外側リング部分６１ｄでも、それぞれ第１外側リング部分６１ａと同様にして、第２エフェクト〜第４エフェクトの効果レベルが１１段階で選択可能となっている。したがって、第２位置Ｐ１２と第３位置Ｐ１３の間の中央位置Ｏ２３（第１位置Ｐ１１から時計周りに１３５度の位置）には、効果レベル「０」が対応付けられている。第３位置Ｐ１３と第４位置Ｐ１４の間の中央位置Ｏ３４（第１位置Ｐ１１から反時計周りに１３５度の位置）、および第４位置Ｐ１４と第１位置Ｐ１１の間の中央位置Ｏ４１（第１位置Ｐ１１から反時計周りに４５度の位置）についても同様である。ゆえに、外用カーソル６３が中央位置Ｏ２３，Ｏ３４，Ｏ４１にある場合には、静止画像に対して第１エフェクト〜第４エフェクトのいずれも施されない。
【００５６】
また、第２外側リング部分６１ｂ〜第４外側リング部分６１ｄでも、第１外側リング部分６１ａと同様に、時計周り順に効果レベル「−５」〜「＋５」を選択可能としてもよいし、これに限らなくてもよい。たとえば、効果レベルを、時計周りに、第１外側リング部分６１ａでは「−５」〜「＋５」、第２外側リング部分６１ｂでは「＋５」〜「−５」、第３外側リング部分６１ｃでは「−５」〜「＋５」、第４外側リング部分６１ｄでは「＋５」〜「−５」の順で選択可能であるようにしてもよい。すなわち、第１外側リング部分６１ａ〜第４外側リング部分６１ｄにおいて交互に効果レベルの選択順を入れ替えるようにしてもよい。これにより、たとえば第１エフェクトの効果レベル「＋５」の選択位置と第２エフェクトの効果レベル「＋５」の選択位置とが隣り合うため、第１エフェクト「明るさ補正」から第２エフェクト「明度補正」に移行するときに静止画像が急激に変化しないようにできる。
【００５７】
なお、画像処理選択部１４ｇは、外側リング６１において第１位置Ｐ１１に外用カーソル６３がある場合には第１エフェクト〜第４エフェクトのいずれも選択しない。したがって、この場合には、静止画像に対して第１エフェクト〜第４エフェクトのいずれも施されない。
【００５８】
このように、画像処理選択部１４ｇは、外側リング６１における外用カーソル６３の位置に応じて、静止画像に施す１つ目のエフェクトの種類とその効果レベルとを選択するようになっている。
【００５９】
また、リング画像６０の内側リング６２上には、内側リング６２の頂上地点（第５位置）Ｐ１５、第５位置Ｐ５から時計周りに９０度離れた第６位置Ｐ１６、第６位置Ｐ１６から時計周りに９０度離れた第７位置Ｐ１７、および第７位置Ｐ１７から時計周りに９０度離れた第８位置Ｐ１８が設けられている。リング画像６０の内側リング６２は、第１内側リング部分６２ａ〜第４内側リング部分６２ｄから構成されている。第１内側リング部分６２ａ〜第４内側リング部分６２ｄは、それぞれ中心角が９０度の円弧形状（１／４円形状）でなる。第１内側リング部分６２ａは、内側リング６２の第５位置Ｐ１５から第６位置Ｐ１６までの部分である。第２内側リング部分６２ｂは、内側リング６２の第６位置Ｐ１６から第７位置Ｐ１７までの部分である。第３内側リング部分６２ｃは、内側リング６２の第７位置Ｐ１７から第８位置Ｐ１８までの部分である。第４内側リング部分６２ｄは、内側リング６２の第８位置Ｐ１８から第５位置Ｐ１５までの部分である。
【００６０】
画像処理選択部１４ｇは、内側リング６２における内用カーソル６４の位置に応じて、静止画像に施す２つ目のエフェクトを選択する。具体的には、画像処理選択部１４ｇは、内用カーソル６４が第１内側リング部分６２ａ上にある場合には第５エフェクトを選択し、第２内側リング部分６２ｂ上にある場合には第６エフェクトを選択する。また画像処理選択部１４ｇは、内用カーソル６４が第３内側リング部分６２ｃ上にある場合には第７エフェクトを選択し、第４内側リング部分６２ｄ上にある場合には第８エフェクトを選択する。第５エフェクト〜第８エフェクトは、視覚効果が固定されたエフェクトである。たとえば、第５エフェクトはぼかし効果、第６エフェクトはレンズフィルタ効果、第７エフェクトは明るさ補正、第８エフェクトはズーム効果である。したがって、内用カーソル６４が第５位置Ｐ１５から内側リング６２に沿って時計周りに移動される場合には、図８に示すように、第５エフェクト「ぼかし効果」、第６エフェクト「レンズフィルタ効果」、第７エフェクト「明るさ補正」、第８エフェクト「ズーム効果」の順で、静止画像に施す２つ目のエフェクトが変更される。一方、内用カーソル６４が反時計回りに移動される場合には、上述した時計周りに移動される場合と逆の順で、静止画像に施す２つ目のエフェクトが変更される。なお、第５エフェクト〜第８エフェクトは、上述したエフェクトに限らず、予めユーザが操作部材１６を介して所望のエフェクトを第５エフェクト〜第８エフェクトとして設定できるようになっている。
【００６１】
また、画像処理選択部１４ｇは、内用カーソル６４の位置に応じて、各エフェクトの効果レベルを選択する。第１内側リング部分６２ａ〜第４内側リング部分６２ｄでも、それぞれ上述した第１外側リング部分６１ａと同様にして、第５エフェクト〜第８エフェクトの効果レベルが１１段階で選択可能となっている。したがって、第５位置Ｐ１５と第６位置Ｐ１６の間の中央位置Ｏ５６（第５位置Ｐ１５から時計周りに４５度の位置）には、効果レベル「０」が対応付けられている。第６位置Ｐ１６と第７位置Ｐ１７の間の中央位置Ｏ６７（第５位置Ｐ１５から時計周りに１３５度の位置）、および第７位置Ｐ１７と第８位置Ｐ１８の間の中央位置Ｏ７８（第５位置Ｐ１５から反時計周りに１３５度の位置）についても同様である。また、第８位置Ｐ１８と第５位置Ｐ１５の間の中央位置Ｏ８５（第５位置Ｐ１５から反時計周りに４５度の位置）についても同様である。ゆえに、内用カーソル６４が中央位置Ｏ５６，Ｏ６７，Ｏ７８，Ｏ８５にある場合には、静止画像に対して第５エフェクト〜第８エフェクトのいずれも施されない。
【００６２】
なお、画像処理選択部１４ｇは、内側リング６２において第５位置Ｐ１５に内用カーソル６４がある場合には第５エフェクト〜第８エフェクトのいずれも選択しない。したがって、この場合には静止画像に対して第５エフェクト〜第８エフェクトのいずれも施されない。
【００６３】
このように、画像処理選択部１４ｇは、内側リング６２における内用カーソル６４の位置に応じて、静止画像に施す２つ目のエフェクトの種類とその効果レベルを選択するようになっている。
【００６４】
また、画像処理部１４ｄは、外用カーソル６３の位置に応じて選択された１つ目のエフェクトと、内用カーソル６４の位置に応じて選択された２つ目のエフェクトとを両方静止画像に施すようになっている。たとえば、静止画像に施す１つ目のエフェクトとして、第１エフェクトである「明るさ補正」の効果レベル「−１」が選択され、２つ目のエフェクトとして、第５エフェクトである「ぼかし効果」の効果レベル「＋３」が選択されたとする。この場合には、画像処理部１４ｄは、「明るさ補正」処理を効果レベル「−１」で静止画像に施すと共に、「ぼかし効果」処理を効果レベル「＋３」で静止画像に施す。
【００６５】
また、本実施形態では、外側リング６１で選択可能な第１エフェクトと内側リング６２で選択可能な第７エフェクトが、両方とも「明るさ補正」となっており、同一である。ここで、静止画像に施す１つ目のエフェクトとして、第１エフェクトである「明るさ補正」の効果レベル「＋３」が選択され、２つ目のエフェクトとして、第７エフェクトである「明るさ補正」の効果レベル「＋４」が選択されたとする。この場合には、画像処理部１４ｄは、第１エフェクトで設定された効果レベル「＋３」と第７エフェクトで設定された効果レベル「＋４」とを加算した効果レベル「＋７」で「明るさ補正」処理を行うようにする。このように、外側リング６１と内側リング６２の両方でエフェクト「明るさ補正」を選択した場合には、外側リング６１で選択した効果レベルと内側リング６２で選択した効果レベルとを加算した効果レベルを用いる。したがって、外側リング６１と内側リング６２の両方で「明るさ補正」を選択する場合には、効果レベルを「−１０」〜「＋１０」までの２１段階で選択することができる。以上のように、外側リング６１と内側リング６２の両方で同じエフェクトを選択可能としておくことで、当該エフェクトについてより広い範囲で効果レベルを選択することができる。
【００６６】
＜フローチャート＞
次に、第２の実施形態において、スロー動画撮影モードにより撮影された画像を再生する際に、制御部１４が実行する処理の流れを、図９に示すフローチャートを用いて説明する。スロー動画撮影モードにより撮影された画像の再生が指示されると、制御部１４は、不図示のメモリに記録された図９の処理を行うプログラムを起動して、当該処理を開始する。
【００６７】
ステップＳ２１において、再生制御部１４ｃは、記録媒体１８に記録されているスロー動画像を再生する。再生制御部１４ｃは、スロー動画像を最後まで再生すると、ステップＳ２２へ進む。
【００６８】
ステップＳ２２において、再生制御部１４ｃは、ステップＳ２１で再生したスロー動画像に関連付けて記録されている静止画像を再生する処理を開始して、ステップＳ２３へ進む。ここではまだユーザにより静止画像に施すエフェクトが選択されていないので、再生制御部１４ｃは、エフェクトが施されていない状態の静止画像を再生する。
【００６９】
ステップＳ２３において、表示制御部１４ｅは、再生中の静止画像に重ねてリング画像６０を表示する処理を開始して、ステップＳ２４へ進む。なお、リング画像６０の表示開始時点では、静止画像に施す１つ目のエフェクトおよび２つ目のエフェクトの両方が選択されていない状態なので、表示制御部１４ｅは、外用カーソル６３が第１位置Ｐ１１にあり且つ内用カーソル６４が第５位置Ｐ１５にある状態でリング画像６０を表示する。
【００７０】
ステップＳ２４において、位置選択部１４ｆは、外側リング６１の外用カーソル６３または内側リング６２の内用カーソル６４に対するドラッグ操作が行われたか否かを判定する。位置選択部１４ｆは、外用カーソル６３または内用カーソル６４に対するドラッグ操作が行われると、ドラッグ操作に応じて外用カーソル６３または内用カーソル６４を移動させて、ステップＳ２５へ進む。一方、位置選択部１４ｆは、外用カーソル６３または内用カーソル６４に対するドラッグ操作が行われていない場合には、ステップＳ２８へ進む。
【００７１】
ステップＳ２５において、画像処理選択部１４ｇは、上述したように、外用カーソル６３または内用カーソル６４の表示位置に応じて、静止画像に施す１つめまたは２つめのエフェクトとその効果レベルとを選択して、ステップＳ２６へ進む。このとき、画像処理選択部１４ｇは、エフェクトを選択した時間と選択したエフェクトの種類および効果レベルとを対応付けたエフェクトの履歴情報を、不図示のメモリに記憶しておく。
【００７２】
ステップＳ２６において、画像処理部１４ｄは、ステップＳ２５において画像処理選択部１４ｇにより選択されたエフェクトを、画像処理選択部１４ｇにより選択された効果レベルで静止画像に施して、ステップＳ２７へ進む。
【００７３】
ステップＳ２７において、再生制御部１４ｃは、ステップＳ２６において画像処理部１４ｄによりエフェクトが施された静止画像を再生して、ステップＳ２８へ進む。このように、外用カーソル６３または内用カーソル６４が移動され、選択されるエフェクトが変更されると、変更されたエフェクトが再生中の静止画像にリアルタイムで反映される。
【００７４】
ステップＳ２８において、再生制御部１４ｃは、静止画像の再生を開始してから６秒間が経過したか否かを判定する。再生制御部１４ｃは、６秒間が経過していない場合にはステップＳ２３へ戻り、６秒間が経過した場合にはステップＳ２９へ進む。
【００７５】
ステップＳ２９において、画像処理部１４ｄは、不図示のメモリに記憶されたエフェクトの履歴情報に基づいて、静止画像の再生開始から６秒間の間にユーザの操作によって変更された通りのエフェクトを静止画像に施す。再生制御部１４ｃは、このエフェクトが施された静止画像を再生し、ステップＳ３０へ進む。
【００７６】
ステップＳ３０において、制御部１４は、操作部材１６を介してエフェクト付き画像の記録が指示されたか否かを判定する。制御部１４は、記録が指示されていない場合には図９の処理を終了し、記録が指示された場合にはステップＳ３１へ進む。
【００７７】
ステップＳ３１において、制御部１４は、スロー動画像を４秒間再生した後に続いて、ステップＳ２９と同様に上記履歴情報に基づいた６秒分のエフェクトを静止画像に施して表示する動画像データを生成して記録媒体１８に記録し、図９の処理を終了する。
【００７８】
以上説明した実施の形態によれば、次の作用効果が得られる。
（１）デジタルカメラ１において、表示制御部１４ｅは、静止画像に施す１つめのエフェクトを選択するための外側リング６１と静止画像に施す２つめのエフェクトを選択するための内側リング６２とを表示部１７に表示する。位置選択部１４ｆは、外側リング６１内の位置と内側リング６２内の位置とをそれぞれ独立して選択可能である。画像処理選択部１４ｇは、外側リング６１における外用カーソル６３の表示位置（位置選択部１４ｆによる選択位置）に応じて、再生時の視覚効果を変化させる第１エフェクト〜第４エフェクトの中から静止画像に施す１つめのエフェクトを選択する。画像処理選択部１４ｇは、内側リング６２における内用カーソル６４の表示位置（位置選択部１４ｆによる選択位置）に応じて、再生時の視覚効果を変化させる第５エフェクト〜第８エフェクトの中から静止画像に施す２つめのエフェクトを選択する。画像処理部１４ｄは、静止画像に対して画像処理選択部１４ｇにより選択された１つめのエフェクトおよび２つ目のエフェクトの両方を施す。このようにすることで、デジタルカメラ１は、スロー動画像に続いて再生する静止画像に対して、ユーザの所望に応じて選択された２つのエフェクトを重ねがけすることができる。
【００７９】
（２）デジタルカメラ１において、画像処理選択部１４ｇは、外用カーソル６３の表示位置に応じて、静止画像に施す１つ目のエフェクトとその効果レベルとを選択する。また画像処理選択部１４ｇは、内用カーソル６４の表示位置に応じて、静止画像に施す２つ目のエフェクトとその効果レベルとを選択する。こうすることにより、デジタルカメラ１では、ユーザが外用カーソル６３または内用カーソル６４を移動させるという簡易な操作を行うだけで、静止画像に施すエフェクトとその効果レベルとを選択することができる。
【００８０】
（３）デジタルカメラ１において、画像処理選択部１４ｇは、静止画像が再生される所定の再生時間（６秒）の間、選択するエフェクトを時間に応じて変化可能であるようにした。こうすることにより、ユーザは、静止画像が所定の再生時間再生される間に静止画像に施すエフェクトを時間に応じて自由に変更することができ、一段と自由な映像表現が可能となる。
【００８１】
（変形例１）
上述した第２の実施形態では、制御部１４は、スロー動画像に続いて再生する静止画像に対して施すエフェクトを時間に応じて変化させる例について説明した。しかしながら、静止画像に施すエフェクトを時間に応じて変化させなくてもよく、制御部１４は、静止画像を所定の再生時間継続して再生する間、静止画像に施すエフェクトを固定するようにしてもよい。この場合、画像処理選択部１４ｇは、リング画像６０の外用カーソル６３および内用カーソル６４が移動され、不図示のＯＫボタンが操作された場合に、外用カーソル６３および内用カーソル６４の表示位置に応じて、静止画像に固定して施す１つめのエフェクトおよび２つめのエフェクトを選択すればよい。
【００８２】
（変形例２）
上述した実施形態では、スロー動画像の撮影時間や撮影フレームレート、再生フレームレート、静止画像の再生時間などについて具体的な数値を挙げたが、これらは一例であり、この他の数値であってもよい。
【００８３】
（変形例３）
上述した実施形態では、制御部１４は、スロー動画像の再生に続いて、エフェクトを施した静止画像を６秒間継続して再生する動画像データを記録媒体１８に記録する例について説明した。しかしながら、これに限らなくてよく、たとえば、制御部１４は、ユーザにより選択されたエフェクトの内容を示すエフェクト情報と静止画像とを対応付けて記録媒体１８に記録するようにしてもよい。この場合、画像の再生時において、制御部１４は、スロー動画像の再生に続いて、エフェクト情報に基づくエフェクトを静止画像に施して再生すればよい。
【００８４】
（変形例４）
上述した実施の形態では、シャッターボタン１６ａの押下操作に応じてシャッターを切る例について説明したが、タッチパネルに対するタッチ操作に応じてシャッターを切る、いわゆるタッチシャッターであってもよい。
【００８５】
（変形例５）
上述した第１の実施の形態では、リング画像５０において４種類のエフェクト（第１エフェクト〜第４エフェクト）の中から静止画像に施すエフェクトを選択できるようにした。しかしながら、リング画像５０におけるエフェクトの選択肢の数はこれに限らなくてよく、２種類または３種類であってもよいし、５種類以上であってもよい。
【００８６】
また、上述した第２の実施の形態では、外側リング６１および内側リング６２のそれぞれにおいて、４種類のエフェクト（第１エフェクト〜第４エフェクトおよび第５エフェクト〜第８エフェクト）の中から静止画像に施すエフェクトを選択できるようにした。しかしながら、外側リング６１および内側リング６２のそれぞれにおけるエフェクトの選択肢の数はこれに限らなくてよく、２種類または３種類であってもよいし、５種類以上であってもよい。また、外側リング６１および内側リング６２のそれぞれにおいて、エフェクトの効果レベルを１１段階から選択できる例について説明したが、効果レベルの選択肢の数はこれに限らなくてもよい。
【００８７】
（変形例６）
上述した実施の形態では、スロー動画撮影モードで撮影された静止画像に施す画像処理を選択するための画像として、リング画像５０，６０を用いる例について説明した。しかしながら、リング形状に限らなくてもよく、たとえば、バー形状などであってもよい。また、上述した実施の形態では、カーソル５２、外用カーソル６３、または内用カーソル６４を移動させる例について説明した。しかしながら、カーソル５２、外用カーソル６３、または内用カーソル６４を固定としてリング５１、外側リング６１、または内側リング６２を移動させるようにしてもよい。
【００８８】
（変形例７）
上述した実施の形態では、リング画像５０，６０に対する操作を、タッチパネル１６ｂに対するタッチ操作によって行う例について説明したが、これに限らなくてよい。たとえばロータリーマルチセレクターなどの操作部材の操作や、デジタルカメラ１の筐体を傾けるなどのアクション操作などによって行うようにしてもよい。
【００８９】
（変形例８）
上述した第２の実施の形態では、リング画像６０を用いて静止画像に施す２種類のエフェクトを選択する例について説明したが、選択するエフェクトは１種類であってもよい。この場合、たとえばリングを１つだけ表示し、リング上でのカーソルの位置に応じて静止画像に施す１つのエフェクトとその効果レベルとを選択すればよい。
【００９０】
（変形例９）
上述した実施の形態では、静止画像に関連するスロー動画像に続いて当該静止画像を再生する際に本発明を適用する例について説明した。しかしながら、静止画像に関連する通常の動画像（すなわち撮像フレームレートと再生フレームレートが同じ動画像）に続いて当該静止画像を再生する際にも本発明を適用するようにしてもよい。
【００９１】
（変形例１０）
上述した実施の形態では、デジタルカメラ１の制御部１４が不図示のメモリに記録されたプログラムを実行することで、上述した図５または図９の処理を行う例について説明した。このプログラムは、製品出荷時に予め記録されていてもよいし、製品出荷後、メモリカードなどの記録媒体やインターネットなどのデータ信号を通じて提供されてもよい。図１０はその様子を示す図である。デジタルカメラ１は、メモリカードなどの記録媒体１８を介してプログラムの提供を受ける。また、デジタルカメラ１は通信回線１０１との接続機能を有する。コンピュータ１０２は上記プログラムを提供するサーバコンピュータであり、ハードディスク１０３などの記録媒体にプログラムを格納する。通信回線１０１は、インターネット、パソコン通信などの通信回線、あるいは専用通信回線などである。コンピュータ１０２はハードディスク１０３を使用してプログラムを読み出し、通信回線１０１を介してプログラムをデジタルカメラ１に送信する。すなわち、プログラムをデータ信号として搬送波を介して、通信回線１０１を介して送信する。このように、プログラムは、記録媒体やデータ信号（搬送波）などの種々の形態のコンピュータ読み込み可能なコンピュータプログラム製品として供給できる。
【００９２】
（変形例１０）
上述した実施の形態では、デジタルカメラに本発明を適用する例について説明したが、これに限らなくてよい。たとえば携帯電話機、スマートフォン、タブレット端末などに本発明を施すようにしてもよい。
【００９３】
上記では、種々の実施の形態および変形例を説明したが、本発明はこれらの内容に限定されるものではない。本発明の技術的思想の範囲内で考えられるその他の態様も本発明の範囲内に含まれる。
【符号の説明】
【００９４】
１…デジタルカメラ、１１…撮像光学系、１２…撮像素子、１４…制御部、１４ａ…動画像生成部、１４ｂ…静止画像生成部、１４ｃ…再生制御部、１４ｄ…画像処理部、１４ｅ…表示制御部、１４ｆ…位置選択部、１４ｇ…画像処理選択部、１６…操作部材、１７…表示部、１８…記録媒体
【図１】
2018110448.tif 000003
【図２】
2018110448.tif 000004
【図３】
2018110448.tif 000005
【図４】
2018110448.tif 000006
【図５】
2018110448.tif 000007
【図６】
2018110448.tif 000008
【図７】
2018110448.tif 000009
【図８】
2018110448.tif 000010
【図９】
2018110448.tif 000011
【図１０】
2018110448.tif 000012